(57)【要約】  本発明は、既存の測定技術は、効果的な特徴（Ｆｅａｔｕｒｅｓ）を抽出するために関連分野の専門家が長時間にわたって直接特徴を抽出する数式や方法を考案して適用するものであったとすれば、本発明の目的は、情報（Ｌａｂｅｌｓ）があるサンプルから測定時間の間に得た入力信号をイメージ化してデータセットを構築して人工神経網技法を活用したディープラーニング学習を通じて人間が予め知っていない有用な特徴などを探し出し、このように学習で得られたアルゴリズムを適用して結果値を推定することができる人工知能ディープラーニング学習を活用した測定物濃度測定方法を提供することにある。  【選択図】図１
2021529315.tif 000002
【特許請求の範囲】
【請求項１】
人工知能ディープラーニング学習を利用した生体測定物濃度測定方法において、
前記分析対象物質の酸化還元反応を触媒することができる酸化還元酵素と電子伝達媒介体が固定されており、作動電極と補助電極を備えた試料セルに液状生体試料を注入する段階と、
前記分析対象物質の酸化還元反応を開始し、電子伝達反応を進行させることができるように前記作動電極に一定の直流電圧を印加して少なくとも一時点以上の特徴点で第１感応電流を得る段階と、
前記一定の直流電圧を印加後、Λ模様の階段化されたはしご形摂動電圧を印加して少なくとも２時点以上で第２感応電流を得る段階と、
前記第１感応電流または前記第２感応電流から予め定められたフィーチャ（ｆｅａｔｕｒｅ）を計算する段階と、
前記生体試料内の少なくとも１以上の妨害物質の影響が最小となるように人工知能学習により少なくとも１以上のフィーチャ（ｆｅａｔｕｒｅ）関数で構成された検定式を用いて前記分析対象物質の濃度を補正する段階とを含み、
前記分析対象物質の濃度を補正する段階は、人工知能学習により、前記第１感応電流と前記第２感応電流を再び得て新しいフィーチャを計算する段階を含み、
前記人工知能学習は、多様な実験条件の血液サンプルを製作して反復測定を通じてアルゴリズムを作るための学習データを得る段階と、
前記得られた学習データは、１次元時系列データで時間の流れに応じた測定物の電気化学的反応を示す段階と、
前記学習データの正規化（Ｎｏｒｍａｌｉｚａｔｉｏｎ）あるいは標準化（Ｓｔａｎｄａｒｄｉｚａｔｉｏｎ）を通じてデータを一定の大きさ（ｓｃａｌｅ）あるいは分布（ｄｉｓｔｒｉｂｕｔｉｏｎ）に変換する段階と、
前記変換されたデータは、多チャンネルデータを組み合わせたりドメイン転換して信号処理する段階と、
人工神経網ディープラーニング技術を利用して入力による適した結果を出力することができるアルゴリズムを学習する段階とを含む人工知能ディープラーニング学習を利用した生体測定物濃度測定方法。
【請求項２】
前記人工知能学習により前記第１または第２感応電流で前記分析対象物質と妨害物質に対する線形依存性が異なる特徴点を選択し、前記特徴点でフィーチャを構成し、前記フィーチャで構成した検定式を作って前記特徴点で前記フィーチャを作る方法は、特定の階段化されたはしご形の山および谷電圧付近の第２感応電流、前記階段化されたはしご形摂動電圧で各階段の感応電流からなる曲線の曲率、前記階段化されたはしご形摂動電圧の山での電流値と谷での電流値との差、上りと下りの中間の階段化されたはしご形摂動電圧での感応電流、各階段化されたはしご形摂動電圧のサイクルの開始および終了地点での感応電流、および階段化されたはしご形摂動電圧で得た感応電流の平均値のうちの一つを使用するか、またはこれから得た電流値を四則演算、指数、ログ、三角関数などの数学的関数で表現して得ることができる値を使用する、請求項１に記載の人工知能ディープラーニング学習を利用した生体測定物濃度測定方法。
【請求項３】
前記第２感応電流は、第１感応電流を得た後、０．１乃至１秒以内に得られる、請求項１に記載の人工知能ディープラーニング学習を利用した生体測定物濃度測定方法。
【請求項４】
前記人工知能学習は、前記生体試料内の分析対象物質の濃度以上、前記生体試料内の分析対象物質の汚染、前記生体試料内の分析対象物質が入っているストリップの不正使用、周辺温度、電極の材質、電極の配列方式、流路の模様、使用する試薬の特性、生体試料内の分析対象物質の濃度測定装置の異常のうちの少なくとも２以上の干渉種を補正する、請求項１に記載の人工知能ディープラーニング学習を利用した生体測定物濃度測定方法。
【請求項５】
前記周辺温度変化が大きい場合にも温度バランシングのための待機時間なしに人工知能ディープラーニング学習により前記生体試料内の分析対象物質の濃度測定を補正する、請求項４に記載の人工知能ディープラーニング学習を利用した生体測定物濃度測定方法。
【請求項６】
前記検定式は、
【数１】
2021529315.tif 000006
のうちの一つであり、
ここでｉは第１感応電流および第２感応電流で得ることができる１以上の電流値であり、Ｔは独立的に測定した温度値である、請求項１に記載の人工知能ディープラーニング学習を利用した生体測定物濃度測定方法。
【請求項７】
前記人工神経網内の多くの層に存在するニューロン間の加重値を調節する段階を含み、前記人工神経網は、構造によりＣｏｎｖｏｌｕｔｉｏｎａｌ  Ｎｅｕｒａｌ  Ｎｅｔｗｏｒｋ（ＣＮＮ）、Ｄｅｅｐ  Ｂｅｌｉｅｆ  Ｎｅｔｗｏｒｋｓ（ＤＢＮ）、そしてＲｅｃｕｒｒｅｎｔ  Ｎｅｕｒａｌ  Ｎｅｔｗｏｒｋｓ（ＲＮＮｓ）のうちのいずれか一つを利用してフィーチャを自動抽出する段階を含む、請求項１に記載の人工知能ディープラーニング学習を利用した生体測定物濃度測定方法。
【請求項８】
前記フィーチャ自動抽出は、Ｒｅｓｔｒｉｃｔｅｄ  Ｂｏｌｔｚｍａｎｎ  ｍａｃｈｉｎｅｓ（ＲＢＭ）を利用し、入力データ分布と確率により決定（ｓｔｏｃｈａｓｔｉｃ  ｄｅｃｉｓｉｏｎ）される再構成データの分布が類似に作る最適化段階を含む、請求項１に記載の人工知能ディープラーニング学習を活用した測定物濃度測定方法。
【請求項９】
前記最適化段階は、人工神経網全体の加重値（Ｗｅｉｇｈｔ）とバイアス（Ｂｉａｓ）値を決定する段階と、活性化関数を利用する段階とを含む、請求項８に記載の人工知能ディープラーニング学習を活用した測定物濃度測定方法。
【請求項１０】
前記人工神経網は、出力層の活性化関数あるいは構造変更を通じてデータの種類（Ｔｙｐｅ）を分類する分類器あるいは値を推定する回帰分析（Ｒｅｇｒｅｓｓｉｏｎ）に使用する、請求項９に記載の人工知能ディープラーニング学習を活用した測定物濃度測定方法。
【発明の詳細な説明】
【技術分野】
【０００１】
本発明は、人工知能ディープラーニング学習を活用した測定物濃度測定方法に関し、より詳細には、ディープラーニング基盤の人工神経網技術を適用してセンサーから得た信号を変換して測定物に該当する領域を認識し、その領域で測定物の種類あるいは濃度決定に必要なそれぞれの要素を抽出して最も適した測定物の種類および濃度を予測する人工知能ディープラーニング学習を活用した測定物濃度測定方法に関する。
【背景技術】
【０００２】
一般に、体外診断製品において最も重要な基準の一つは測定結果の正確度である。
【０００３】
かかる製品は、測定物が存在する時に感知センサーが信号を出力し、分析器がこれを認知して予め定められた検定曲線またはアルゴリズムを適用して定量的または定性的な結果を送り出す。
【０００４】
測定結果の正確度は、干渉物、外部環境、サンプルの性質などの多様な変数により起こった干渉作用により影響を受ける可能性がある。
【０００５】
血糖測定のために活用される電気化学的センサーを例に挙げると、電極表面で酸化する測定物以外の物質の存在や粘度などの血液性質の変化による血糖の電極に向かった伝達係数（Ｄｉｆｆｕｓｉｏｎ  Ｃｏｅｆｆｉｃｉｅｎｔ）または電極表面での反応速度（Ｒｅａｃｔｉｏｎ  Ｒａｔｅ）の変化などにより出力される電気信号が影響を受けることができる。
【０００６】
かかる影響を最小化または除去するために、センサーに多様な種類の入力信号を与えて測定物の干渉程度を推定して反映する方法が使用されてきた。
【０００７】
例として、韓国登録特許第１６６６９７８号に開示されたとおり、生体試料内の分析対象物質の濃度測定方法において、前記分析対象物質の酸化還元反応を触媒することができる酸化還元酵素と電子伝達媒介体が固定されており、作動電極と補助電極を備えた試料セルに液状生体試料を注入し、前記分析対象物質の酸化還元反応を開始して電子伝達反応を進行させることができるように前記作動電極に一定の直流電圧を印加して少なくとも一時点以上の特徴点で第１感応電流を得、前記一定の直流電圧を印加後、Λ模様の階段化されたはしご形摂動電圧を印加して少なくとも２時点以上で第２感応電流を得、前記第１感応電流または前記第２感応電流から予め定められたフィーチャ（ｆｅａｔｕｒｅ）を計算して、前記生体試料内の少なくとも１以上の妨害物質の影響が最小となるように少なくとも１以上のフィーチャ（ｆｅａｔｕｒｅ）関数で構成された検定式を用いて前記分析対象物質の濃度を計算して生体試料内の分析対象物質の濃度を測定した。
【０００８】
つまり、事前に既に定められた信号から導出したパラメータ値を多重線形回帰（Ｍｕｌｔｉｐｌｅ  Ｌｉｎｅａｒ  Ｒｅｇｒｅｓｓｉｏｎ）のような数学的方法を活用して干渉程度を推定し、測定値を決定した。
【０００９】
かかる方法の短所は、事前に既に導出された特徴（ｅｘｔｒａｃｔｅｄ  ｆｅａｔｕｒｅｓ）または入力命令（ｉｎｐｕｔ  ｃｏｍｍａｎｄ）という与えられた規則を区分または感知できない場合には予想できない不正確な結果を出力するということである。
【００１０】
また、大部分のフィーチャがヘマトクリットの影響を除外することに集中されているが、ヘマトクリット以外に他の干渉種が少なくとも２以上の複合的に結合して生体測定物質の濃度に影響を与える場合には、フィーチャおよびこれらフィーチャを利用した検定式が補正されなければならないにも拘らず、そうしない場合には致命的な問題点を招き得る 。
【００１１】
また、このようなヘマトクリット以外に他の干渉種が少なくとも２以上の複合的に結合して生体測定物質の濃度に影響を与える場合にも、異常を知らせることができず、生体測定ストリップを濫用するようになる問題点があった。
【００１２】
また、外部環境的な要因、例えば温度フィーチャの値は、メーターに付着された温度センサーを通じて得られる値であって、急激な周囲環境の変化が発生する時、即時正確な温度値を測定し難く、温度平衡がなされるための時間が必要な場合が多い。
【００１３】
したがって、大部分のメーター機は、使用者が急激な環境変化にある時（ｅｘ．寒い冬、外部から暖かい室内に入った時）メーターを使用するために温度平衡のための一定時間を待つように要求している。
【発明の概要】
【発明が解決しようとする課題】
【００１４】
本発明は、このような問題点を解消するために案出されたものであって、既存の測定技術は、効果的な特徴（Ｆｅａｔｕｒｅｓ）を抽出するために関連分野の専門家が長時間にわたって直接特徴を抽出する数式や方法を考案して適用するものであったとすれば、本発明の目的は、情報（Ｌａｂｅｌｓ）があるサンプルから測定時間の間に得た入力信号をデータベース化して人工神経網技法を活用したディープラーニング学習を通じて人間が予め知っていない有用な特徴などを探し出し、このように学習で得られたアルゴリズムを適用して結果値を推定できる人工知能ディープラーニング学習を活用した測定物濃度測定方法を提供することにある。
【００１５】
本発明の目的は、既存の測定技術は、サンプルが入っているセンサーに入る入力波形の形態が変わればその度に特徴を探すのに多くの時間と努力を要するという短所がある特定値を推定する回帰モデルにもなり得るが、集団を分類する分類器にもなり得るフィーチャを毎度別途のフィーチャを探す必要なしに求めることができる人工知能ディープラーニング学習を活用した測定物濃度測定方法を提供することにある。
【００１６】
また、本発明の目的は、ヘマトクリット以外に他の干渉種が少なくとも２以上の複合的に結合して生体測定物質の濃度に影響を与える場合には、フィーチャおよびこれらフィーチャを利用した検定式を自動的に補正できる人工知能ディープラーニング学習を活用した測定物濃度測定方法を提供することにある。
【００１７】
また、本発明の目的は、ヘマトクリット以外に他の干渉種が少なくとも２以上の複合的に結合して生体測定物質の濃度に影響を与える場合に、特別な異常を知らせることができる人工知能ディープラーニング学習を活用した測定物濃度測定方法を提供することにある。
【００１８】
また、本発明の目的は、急激な外部環境の変化に対して外部環境変化の安定化のために一定時間待機する必要なしに生体測定物質の濃度を直ちに測定しても一定の正確度を提供できる人工知能ディープラーニング学習を活用した測定物濃度測定方法を提供することにある。
【課題を解決するための手段】
【００１９】
本発明の一実施例による人工知能を利用した生体試料内の分析対象物質の濃度測定方法は、前記分析対象物質の酸化還元反応を触媒することができる酸化還元酵素と電子伝達媒介体が固定されており、作動電極と補助電極を備えた試料セルに液状生体試料を注入する段階と、前記分析対象物質の酸化還元反応を開始し、電子伝達反応を進行させることができるように前記作動電極に一定の直流電圧を印加して少なくとも一時点以上の特徴点で第１感応電流を得る段階と、前記一定の直流電圧を印加後、Λ模様の階段化されたはしご形摂動電圧を印加して少なくとも２時点以上で第２感応電流を得る段階と、前記第１感応電流または前記第２感応電流から予め定められたフィーチャ（ｆｅａｔｕｒｅ）を計算する段階と、前記生体試料内の少なくとも１以上の妨害物質の影響が最小となるように人工知能学習により少なくとも１以上のフィーチャ（ｆｅａｔｕｒｅ）関数で構成された検定式を用いて前記分析対象物質の濃度を補正する段階とを含むことを特徴とする。
【発明の効果】
【００２０】
本発明は、このような問題点を解消するために案出されたものであって、本発明の一実施例による人工知能ディープラーニング学習を活用した測定物濃度測定方法は、既存の測定技術は、効果的な特徴（Ｆｅａｔｕｒｅｓ）を抽出するために関連分野の専門家が長時間にわたって直接特徴を抽出する数式や方法を考案して適用するものであったとすれば、情報（Ｌａｂｅｌｓ）があるサンプルから測定時間の間に得た入力信号をデータベース化して人工神経網技法を活用したディープラーニング学習を通じて人が予め知っていない有用な特徴などを探し出し、このように学習で得られたアルゴリズムを適用して結果値を推定できる。本発明の目的は、既存の測定技術は、サンプルが入っているセンサーに入る入力波形の形態が変わればその度に特徴を探すのに多くの時間と努力を要するという短所がある特定値を推定する回帰モデルにもなり得るが、集団を分類する分類器にもなり得るフィーチャを毎度別途のフィーチャを探す必要なしに求めることができる。
【００２１】
また、本発明の一実施例による人工知能ディープラーニング学習を活用した測定物濃度測定方法は、ヘマトクリット以外に他の干渉種が少なくとも２以上の複合的に結合して生体測定物質の濃度に影響を与える場合には、フィーチャおよびこれらフィーチャを利用した検定式を自動的に補正することができる。
【００２２】
また、本発明の一実施例による人工知能ディープラーニング学習を活用した測定物濃度測定方法は、ヘマトクリット以外に他の干渉種が少なくとも２以上の複合的に結合して生体測定物質の濃度に影響を与える場合に特別な異常を知らせることができる。
【００２３】
また、本発明の一実施例による人工知能ディープラーニング学習を活用した測定物濃度測定方法は、急激な外部環境の変化に対して外部環境変化の安定化のために一定時間待機する必要なしに生体測定物質の濃度を直ちに測定しても一定の正確度を提供することができる。
【図面の簡単な説明】
【００２４】
【図１】本発明の一実施例による人工知能ディープラーニング学習を活用した血糖測定装置の内部構成図である。
【図２】本発明の一実施例による人工知能ディープラーニング学習を活用した血糖測定方法のフローチャートである。
【図３】本発明の一実施例による人工知能ディープラーニング学習を活用した血糖測定装置の内部構成図中の人工知能学習補正部の詳細図である。
【図４】本発明の一実施例による人工知能ディープラーニング学習を活用した血糖測定方法に使用されたΛ−階段化されたはしご形摂動電圧（Λ−ｓｔｅｐｌａｄｄｅｒ−ｔｙｐｅ  ｐｅｒｔｕｒｂａｔｉｏｎ  ｐｏｔｅｎｔｉａｌ）と、これに対応する感応電流を示すグラフである。
【図５】従来の多重回帰方式を利用した血糖推定方法と、本発明の一実施例による人工神経網を利用したディープラーニング技法を活用した測定物濃度測定方法により血糖推定を実施した回帰モデル結果の例示図である。
【図６】本発明の一実施例による人工知能ディープラーニング学習を活用した測定物濃度測定方法により入力信号に一定の大きさのランダムノイズ（Ｒａｎｄｏｍ  Ｎｏｉｓｅ）を印加した場合、ノイズによるアルゴリズムの堅牢性（Ｒｏｂｕｓｔｎｅｓｓ）を示すグラフである。
【図７】本発明の一実施例による人工知能ディープラーニング学習を活用した測定物濃度測定方法により温度フィーチャを含まない場合と温度フィーチャを含む場合に血糖推定を実施した回帰モデル結果の例示図である。
【図８】本発明の一実施例による人工知能ディープラーニング学習を活用した測定物濃度測定方法により周辺温度が室温より高い場合によるアルゴリズムの堅牢性（Ｒｏｂｕｓｔｎｅｓｓ）を示すグラフである。
【図９】本発明の一実施例による人工知能ディープラーニング学習を活用した測定物濃度測定方法により周辺温度が室温より低い場合によるアルゴリズムの堅牢性（Ｒｏｂｕｓｔｎｅｓｓ）を示すグラフである。
【発明を実施するための形態】
【００２５】
以下、本発明の一実施例による人工神経網を利用したディープラーニング技法を活用した測定物濃度測定方法について図１乃至図６を参照して詳細に説明する。
【００２６】
本明細書において、本発明の一実施例による人工神経網を利用したディープラーニング技法を活用した測定物濃度測定方法は、本発明を説明するための例示に過ぎず、本発明の保護範囲が実施例により限定されるのではない。
【００２７】
図１乃至図４を参照して本発明の一実施例による人工知能ディープラーニング学習を活用した血糖測定方法について説明する。
【００２８】
図１は本発明の一実施例による人工知能ディープラーニング学習を活用した血糖測定装置の内部構成図である。
【００２９】
図１に示されているように、本発明の一実施例による人工知能ディープラーニング学習を活用した血糖測定装置１０は、既存の電気化学的バイオセンサー、つまり、ストリップ１の一対の作動電極と補助電極の構造をそのまま維持しながら、一定電圧印加後、Λ模様の階段化されたはしご形摂動電圧を印加し、人工知能ディープラーニング学習を活用した測定物濃度測定方法により既存の多重回帰（Ｍｕｌｔｉｐｌｅ  Ｌｉｎｅａｒ  Ｒｅｇｒｅｓｓｉｏｎ）方法から抜け出してアルゴリズムの正確度、精密度、およびヘマトクリットを含む干渉補正性能を改善できる最適化した血糖推定人工知能基盤のディープラーニングアルゴリズムにより血糖測定値を提供することができる。
【００３０】
本発明の一実施例による人工知能ディープラーニング学習を活用した血糖測定装置１０はまた、制限されたハードウェアでも最適化した血糖推定人工知能基盤のディープラーニングアルゴリズム計算を効率的に進行して演算時間を８秒以内に進行することができる。
【００３１】
本発明の一実施例による人工知能ディープラーニング学習を活用した血糖測定装置１０は、前記電気化学的バイオセンサー１がコネクタ１１に装着されると、前記コネクタ１１は電流−電圧変換器１２に電気的に接続されるが、マイクロコントローラー（ＭＣＵ）１５がデジタル−アナログコンバータ回路（ＤＡＣ）１３を通じて一定電圧を印加し、Λ模様の階段化されたはしご形摂動電圧を前記ストリップ１の作動電極に印加することができるように構成される。
【００３２】
このために本発明の一実施例による人工知能ディープラーニング学習を活用した血糖測定装置１０のファームウェアは、先ず予め決定された三角波型循環電圧を発生させることができる定数をメモリに保存し、一定電圧を印加する時は定められた定数をＤＡＣ１３のレジスターに記録し、Λ模様の階段化されたはしご形摂動電圧を印加する時は定められた時間を周期として、前記メモリに保存された定数値を増／加減させてＤＡＣ１３のレジスターに記録する。ただし、ここに例示する印加Λ模様の階段化されたはしご形摂動電圧の波形は例示に過ぎず、この例示に限定されず、同事業の従事者に当然な全ての波形の循環電圧を含む。
【００３３】
前記マイクロコントローラー１５は、前記ＤＡＣ１３レジスターに記録された定数値によりストリップの二つの電極の間に当該電圧を印加させる。
【００３４】
一定電圧が印加され、Λ模様の階段化されたはしご形摂動電圧が印加されると、前記ストリップ１を通じて測定された応答電流が前記コネクタ１１および前記電流−電圧変換器１２を経て直接アナログ−デジタルコンバータ回路（ＡＤＣ）１３を通じて測定され得る。
【００３５】
一方、本発明の一実施例による人工知能ディープラーニング学習を活用した血糖測定装置１０は、異常信号処理部１６と人工知能ディープラーニングアルゴリズム計算部１７をさらに含むが、前記異常信号処理部１６は、前記ストリップ１が前記コネクタ１１に接続が不良であったり、血液注入異常およびハードウェア異常による異常信号が検出されたりすると、これを警報、ディスプレイに表示などを通じて知らせ、前記人工知能ディープラーニングアルゴリズム計算部１７で不必要な計算を行わないようにできる。
【００３６】
前記人工知能ディープラーニングアルゴリズム計算部１７は、最適化した人工知能ディープラーニング血糖測定アルゴリズムにより前記ストリップ１を通じて測定された応答電流から血糖測定値を８秒以内に求めることができる。
【００３７】
以下、図２を参照して本発明の一実施例による人工知能ディープラーニング学習を活用した血糖測定方法を説明する。
【００３８】
図２は本発明の一実施例による人工知能ディープラーニング学習を活用した血糖測定方法のフローチャートである。
【００３９】
図２を参照すれば、本発明の一実施例による人工知能ディープラーニング学習を活用した血糖測定方法は、試料を準備し（Ｓ１１０）、例えば電気化学的対面型バイオセンサー１を生体情報測定装置１０に装填し（Ｓ１２０）、前記バイオセンサー１が試料（血液）に接触して前記電気化学的バイオセンサー１の作動電極と補助電極を血液が濡らす瞬間に前記電流電圧変換器１２を通じて一定電圧を印加し（Ｓ１３０）、前記一定電圧の印加後、印加電圧の終了時点に連続的にΛ模様の階段化されたはしご形摂動電圧を印加する（Ｓ１４０）。
【００４０】
前記異常信号処理部１６で感応電流が異常信号であるか否かを判断し（Ｓ１５０）、異常信号と判断されるとこれを警報、ディスプレイに表示などを通じて知らせることができる（Ｓ１５１）。
【００４１】
この時、異常信号が周辺温度、ストリップや血液の温度が室内温度より過度に高いか 低いためであると判断されると、待機時間なしに人工知能ディープラーニング基盤の最適化アルゴリズムを利用した血糖値計算を進行することができる。
【００４２】
また、異常信号でないと判断されると、前記人工知能ディープラーニングアルゴリズム計算部１７で最適化した人工知能ディープラーニング血糖測定アルゴリズムにより測定された応答電流から血糖測定値を求めることができる。
【００４３】
図３は本発明の一実施例による人工知能ディープラーニング学習を活用した血糖測定装置の内部構成図中の人工知能学習補正部の詳細図である。
【００４４】
図３に示されているように、前記人工知能ディープラーニングアルゴリズム計算部１７は、生体情報分析人工知能基盤のディープラーニングサーバー１００と有無線ネットワークを通じて最適化した人工知能学習アルゴリズムをダウンロードまたはソフトウェアを通じて保存され得るが、生体情報分析人工知能基盤のディープラーニングサーバー１００は、前記生体情報測定装置１０を通じて採血した血液をセンサー（Ｓｔｒｉｐ）に注入することによって起こる電気化学的反応を通じて１次元時系列データ（Ｔｉｍｅ  ｓｅｒｉｅｓ  ｄａｔａ）を獲得する信号獲得部１１０と、前記信号獲得部１１０から獲得された信号中に血液注入異常およびハードウェア異常による異常信号を除外するか、前記生体情報測定装置１０で利用できる最適化した生体情報測定アルゴリズムを得るために信号を前処理する信号前処理部１３０と、前記信号前処理部１３０を通じて処理された信号を利用して最適化した生体情報測定アルゴリズムをディープラーニング人工神経網技法を活用して自動的に特徴を抽出する生体情報測定アルゴリズム生成部１５０と、前記生体情報測定装置１０で利用できる最適化の結果導出部１７０とを含むことができる。
【００４５】
前記信号前処理部１３０は、前記生体情報測定アルゴリズム生成部１５０で学習できるように正規化（Ｎｏｒｍａｌｉｚａｔｉｏｎ）あるいは標準化（Ｓｔａｎｄａｒｄｉｚａｔｉｏｎ）を通じてデータを一定の大きさ（ｓｃａｌｅ）あるいは分布（ｄｉｓｔｒｉｂｕｔｉｏｎ）に変換し、変換されたデータは多チャンネルデータを組み合わせたりドメイン転換（例えば、時間あるいは周波数ドメイン）などの信号処理およびデータ変換を利用してデータイメージ化させることができる。
【００４６】
前記生体情報測定アルゴリズム生成部１５０は、血糖測定のためのアルゴリズム構造を形成するアルゴリズム構造部１５１と、血糖予測値が真の値である血糖値を最も正確に予測できるようにアルゴリズム内の変数を調整するアルゴリズム学習部１５３と、血糖値予測の正確度および精密度向上のために一つ以上のアルゴリズムを組み合わせて最終予測値は算出するアンサンブルアルゴリズム部１５５とを含むことができる。
【００４７】
また、前記アルゴリズム構造部１５１は、前記信号前処理部１３０を通じて信号前処理された生体情報信号データ内に含まれている測定物の特徴を抽出する特徴抽出部１５１ａと、前記特徴抽出部１５１ａを利用して求められた特徴を利用して血糖値を推定する血糖値予測部１５１ｂとを含むことができる。
【００４８】
前記アルゴリズム構造部１５１は、測定物の成分、ヘマトクリット、温度、干渉種の特性など周辺環境を反映したイメージから分類あるいは測定しようとする結果値を反映する特徴をディープラーニング人工神経網技法を活用して自動抽出する。
【００４９】
前記アルゴリズム学習部１５３は、抽出された特徴を用いてアルゴリズム学習過程を経て結果値の誤差が最小となる人工神経網層間の加重値（Ｗｅｉｇｈｔ）およびバイアス（Ｂｉａｓ）を導出する。
【００５０】
前記アルゴリズム構造部１５１は、人工神経網アルゴリズムで目的に合うように特定値を推定する回帰モデルとして活用が可能であり、また、測定物の種類を分類する分類器として活用が可能である。
【００５１】
本明細書において、血糖測定時のヘマトクリットにより測定誤差が発生することを補正することを好ましい実施例として説明するが、グルコース検査と同様に、特定の酵素を導入することによって多様な代謝物質、例えばβ−ヒドロキシブチレート（別名ケトン体）、コレステロール、ラクテート、クレアチニン、過酸化水素、アルコール、アミノ酸、グルタメートのような有機物または無機物の濃度も同様な方法で測定値を補正することができる。したがって、本発明は、試料層組成物に含まれる酵素の種類を異にすることによって多様な代謝物質の定量に利用され得る。
【００５２】
例えば、β−ヒドロキシブチレート脱水素化酵素（ａ−ｈｙｄｒｏｘｙｂｕｔｙｒａｔｅ  ｄｅｈｙｄｒｏｇｅｎａｓｅ）、グルコース酸化酵素（ｇｌｕｃｏｓｅ  ｏｘｉｄａｓｅ、ＧＯｘ）、グルコース脱水素化酵素（ｇｌｕｃｏｓｅ  ｄｅｈｙｄｒｏｇｅｎａｓｅ、ＧＤＨ）、グルタメート酸化酵素（ｇｌｕｔａｍａｔｅ  ｏｘｉｄａｓｅ）、グルタメート脱水素化酵素（ｇｌｕｔａｍａｔｅ  ｄｅｈｙｄｒｏｇｅｎａｓｅ）、コレステロール酸化酵素、コレステロールエステル化酵素、ラクテート酸化酵素、アスコルビン酸酸化酵素、アルコール酸化酵素、アルコール脱水素化酵素、ビリルビン酸化酵素などを使用し、β−ヒドロキシブチレート、グルコース、グルタメート、コレステロール、ラクテート、アスコルビン酸、アルコールおよびビリルビンなどの定量を行うことができる。
【００５３】
本発明の一実施例による生体情報測定装置１０には、作動電極および補助電極が互いに異なる平面上で対面するように備えられ、前記作動電極上に物質による酵素および電子伝達媒体を含む試薬組成物がコーティングされた対面型電気化学的バイオセンサーが適用され得る。
【００５４】
また、本発明の一実施例による生体情報測定装置１０には、作動電極および補助電極が一平面上に備えられ、前記作動電極上に物質による酵素および電子伝達媒体を含む試薬組成物がコーティングされた平面型電気化学的バイオセンサーが適用され得る。
【００５５】
次に、図４を参照して簡単にΛ−階段化されたはしご形摂動電圧（Λ−ｓｔｅｐｌａｄｄｅｒ−ｔｙｐｅ  ｐｅｒｔｕｒｂａｔｉｏｎ  ｐｏｔｅｎｔｉａｌ）を用いた理由について説明する。
【００５６】
図４は本発明の一実施例による人工知能ディープラーニング学習を活用した血糖測定方法に使用されたΛ−階段化されたはしご形摂動電圧（Λ−ｓｔｅｐｌａｄｄｅｒ−ｔｙｐｅ  ｐｅｒｔｕｒｂａｔｉｏｎ  ｐｏｔｅｎｔｉａｌ）と、これに対応する感応電流を示すグラフである。
【００５７】
一方、本発明の好ましい実施例による人工知能ディープラーニング学習を利用した生体測定物濃度測定方法は、図４に示されているように、階段化されたはしご形摂動電圧を一定電圧（ＶＤＣ）が印加された後、引き続き印加して感応電流を通じて生体測定物の濃度を測定するが、このように階段化されたはしご形摂動電圧を印加することは、感応電流の特性に重要な変化を起こして、赤血球容積率またはその他干渉種の影響を除去または最小化するためである。
【００５８】
ここで感応電流を第１感応電流または第２感応電流で表示したことは、揺動あるいは摂動により感応電流の特性が変わって互いに異なることを示すためである。
【００５９】
一定電圧の印加後に検定式で赤血球容積率の影響を除去する目的で短時間に追加的に印加する周期性を有する階段化されたはしご形摂動電圧印加方式を「Λ−階段化されたはしご形摂動電圧（Λ−ｓｔｅｐｌａｄｄｅｒ  ｐｅｒｔｕｒｂａｔｉｏｎ  ｐｏｔｅｎｔｉａｌ）あるいは簡単に階段化されたはしご形電圧（ｓｔｅｐｌａｄｄｅｒ  ｐｏｔｅｎｔｉａｌ）」と定義する。
【００６０】
前記で特性が互いに異なる電流とは、血糖と赤血球容積率（妨害物質）に依存する方式が互いに異なるため、赤血球容積率の影響を効果的に分離したり補正したりできる変数として用いることができる電流をいう。
【００６１】
前記摂動電圧が印加される区間に対応する第２感応電流から特徴点を探す方法、およびこの特徴点でフィーチャ（ｆｅａｔｕｒｅ）を作る方法は次のとおりである。
【００６２】
下記の方法は一つの例であり、応用の目的により多様に変形して適用することができる。
１）特定の階段化されたはしご形の山および谷電圧付近での感応電流
２）階段化されたはしご形において各階段の感応電流からなる曲線の曲率
３）階段化されたはしご形の山での電流値と谷での電流値との差
４）上りと下りとの中間の階段化されたはしご形での感応電流
５）各階段化されたはしご形サイクルの開始および終了地点での感応電流
６）階段化されたはしご形波から得た感応電流の平均値
７）前記１乃至６のフィーチャから得た電流値を四則演算、指数、ログ、三角関数などの数学的関数で表現して得ることができる値
【００６３】
このように前記摂動電圧が印加される区間に対応する第２感応電流から特徴点を探したり、この特徴点から得た電流値をフィーチャ（ｆｅａｔｕｒｅ）として作り、これを線形に結合して多変数回帰分析（ｍｕｌｔｉｖａｒｉａｂｌｅ  ｒｅｇｒｅｓｓｉｏｎ  ａｎａｌｙｓｉｓ）を適用すれば、赤血球容積率による影響を最小化した検定式を得ることができる。
【００６４】
前記検定式は、
【数１】
2021529315.tif 000003
のうちの一つであり、
ここでｉは第１感応電流および第２感応電流で得ることができる１以上の電流値であり、Ｔは独立的に測定した温度値である。
【００６５】
再び図３を参照すれば、前記信号獲得部１１０は、採血した血液をセンサー（Ｓｔｒｉｐ）に注入することによって起こる電気化学的反応を通じて１次元時系列データ（Ｔｉｍｅ  ｓｅｒｉｅｓ  ｄａｔａ）を獲得することができる。
【００６６】
前記信号前処理部１３０は、１次元時系列データを信号処理およびデータ変換を通じて２次元以上のデータでイメージ化して人工神経網の入力信号として利用することができる。
【００６７】
前記生体情報測定アルゴリズム生成部１５０は、測定物の成分および周辺環境を反映したイメージから分類あるいは測定しようとする結果値を反映する特徴をディープラーニング人工神経網技法を活用して自動抽出する。
【００６８】
前記アルゴリズム学習部１５３を通じて抽出された特徴を用いてアルゴリズム学習をして結果値の誤差が最小となる人工神経網層間の加重値（Ｗｅｉｇｈｔ）およびバイアス（Ｂｉａｓ）を導出する。
【００６９】
人工神経網アルゴリズムは、目的に合うように特定値を推定する回帰モデルとして活用が可能であり、また、測定物の種類を分類する分類器として活用が可能である。
【００７０】
本発明の一実施例による人工神経網を利用したディープラーニング技法を活用した測定物測定方法において、血糖測定器のアルゴリズムを作るための学習データを得るためには血糖値に影響を与える多様な要素を反映して実験を実施する。
【００７１】
血糖値に影響を与える主要要素としては、血液のブドウ糖（Ｇｌｕｃｏｓｅ）、ヘマトクリット（Ｈｅｍａｔｏｃｒｉｔ）、測定温度、酸素分圧などがある。
【００７２】
多様な実験条件の血液サンプルを製作して反復測定を通じてアルゴリズムを作るための学習データを得る。
【００７３】
得られた学習データは、１次元時系列データであって、時間の流れに応じた測定物の電気化学的反応を示す。
【００７４】
学習データは、正規化（Ｎｏｒｍａｌｉｚａｔｉｏｎ）あるいは標準化（Ｓｔａｎｄａｒｄｉｚａｔｉｏｎ）を通じてデータを一定の大きさ（ｓｃａｌｅ）あるいは分布（ｄｉｓｔｒｉｂｕｔｉｏｎ）に変換する。
【００７５】
変換されたデータは、多チャンネルデータを組み合わせたりドメイン転換（例えば、時間あるいは周波数ドメイン）などの信号処理およびデータ変換を利用してデータイメージ化させることができる。
【００７６】
イメージ化されたデータは、人工神経網ディープラーニング技術を利用して入力による適した結果を出力できるアルゴリズムを学習することができる。
【００７７】
人工神経網は、人間の脳が動作する原理を模倣した方法として、人工神経網内の多くの層に存在するニューロン間の加重値を調節することが好ましい。
【００７８】
このような人工神経網は、構造によりＣｏｎｖｏｌｕｔｉｏｎａｌ  Ｎｅｕｒａｌ  Ｎｅｔｗｏｒｋ（ＣＮＮ）、Ｄｅｅｐ  Ｂｅｌｉｅｆ  Ｎｅｔｗｏｒｋｓ（ＤＢＮ）、そしてＲｅｃｕｒｒｅｎｔ  Ｎｅｕｒａｌ  Ｎｅｔｗｏｒｋｓ（ＲＮＮｓ）などがある。人工神経網ディープラーニング技術が他の機械学習と異なる点は、特徴を自動抽出できるということである。
【００７９】
特徴自動抽出は、Ｒｅｓｔｒｉｃｔｅｄ  Ｂｏｌｔｚｍａｎｎ  ｍａｃｈｉｎｅｓ（ＲＢＭ）など多様な方法がある。
【００８０】
ＲＢＭは、非指導学習（Ｕｎｓｕｐｅｒｖｉｓｅｄ  ｌｅａｒｎｉｎｇ）に利用され得、入力データ分布と確率により決定（ｓｔｏｃｈａｓｔｉｃ  ｄｅｃｉｓｉｏｎ）される再構成データの分布が類似に作る最適化過程を経るようになる。
【００８１】
結果的には、隠匿層の結果値を入力データを示す特徴値として使用することができる。
【００８２】
前記過程を反復的に行いながら隠匿層を多くの層に拡張して隠匿層別特徴を求めて人工神経網の構造を構成することができる。
【００８３】
人工神経網学習の目的は、出力のエラーを最小化することである。
【００８４】
出力の誤差を最小化する方法は、Ｌｅｖｅｎｂｅｒｇ−Ｍａｒｑｕａｒｄｔ、Ｇａｕｓｓ−Ｎｅｗｔｏｎ、Ｇｒａｄｉｅｎｔ  ｄｅｓｃｅｎｔなどの方法がある。
【００８５】
前記最適化方法を通じて人工神経網全体の加重値（Ｗｅｉｇｈｔ）とバイアス（Ｂｉａｓ）値を決定するようになる。
【００８６】
人工神経網において、加重値とバイアス以外にも、活性化関数（Ａｃｔｉｖａｔｉｏｎ  ｆｕｎｃｔｉｏｎ）も重要な役割を果たす。
【００８７】
活性化関数は、各ニューロン（ノード）から入力信号を受けて出力を如何に排出するのかを決定する。
【００８８】
活性化関数には、シグモイド（Ｓｉｇｍｏｉｄ）、ハイパボリックタンジェント（ｈｙｐｅｒｂｏｌｉｃ  ｔａｎｇｅｎｔ）、正規化線形ユニット（Ｒｅｃｔｉｆｉｅｄ  Ｌｉｎｅａｒ  Ｕｎｉｔ）などがある。
【００８９】
人工神経網は、出力層の活性化関数あるいは構造変更を通じてデータの種類（Ｔｙｐｅ）を分類する分類器あるいは値を推定する回帰分析（Ｒｅｇｒｅｓｓｉｏｎ）に使用することができる。
【００９０】
例えば人間の血液とコントロールソリューション溶液を区分する分類器として活用することができ、また、血糖値を推定する回帰分析に活用することもできる。
【００９１】
図５に示されているように、既存の多重回帰方式を利用した血糖推定方法と人工神経網を利用した血糖推定を実施した回帰モデル結果を比較してみることができる。
【００９２】
血糖基準測定装備であるＹＳＩと推定された血糖値を比較した結果、人工神経網を利用した推定された血糖値が既存の多重回帰方式より正確な結果を示すことが分かる。
【００９３】
図６に示されているように、入力信号に一定の大きさのランダムノイズ（Ｒａｎｄｏｍ  Ｎｏｉｓｅ）を印加した場合、ノイズによるアルゴリズムの堅牢性（Ｒｏｂｕｓｔｎｅｓｓ）を確認することができる。
【００９４】
これによって、アルゴリズムの堅牢性は、基準値であるＹＳＩ値と測定アルゴリズム値の平均二乗偏差（Ｒｏｏｔ  Ｍｅａｎ  Ｓｑｕａｒｅ  Ｅｒｒｏｒ）で確認した。
【００９５】
多重回帰の場合、血液濃度と関係なしにノイズに敏感に反応し、出力値が不安定に示される。
【００９６】
反面、人工神経網の場合には特に低濃度ではノイズに堅牢な性質を示し、出力値が回帰方法に比べて安定して示されることが分かる。
【００９７】
次に、図７乃至図９を参照して、血液濃度に影響を与え得るノイズのうちの一つの要因である周辺温度とバランシング温度差が大きい場合、本発明の一実施例による人工知能ディープラーニング学習を利用した生体測定物濃度測定方法について実施例を挙げて説明する。
【００９８】
図７は本発明の一実施例による人工知能ディープラーニング学習を活用した測定物濃度測定方法により温度フィーチャを含まない場合と、温度フィーチャを含む場合、血糖推定を実施した回帰モデル結果の例示図であり、図８および図９はそれぞれ本発明の一実施例による人工知能ディープラーニング学習を活用した測定物濃度測定方法により周辺温度が室温より高い場合と、室温より低い場合のアルゴリズムの堅牢性（Ｒｏｂｕｓｔｎｅｓｓ）を示すグラフである。
【００９９】
（実施例１）ニューラルネットモデルの温度Ｆｅａｔｕｒｅを含むか否かによる性能比較
温度Ｆｅａｔｕｒｅを含むか否かによるニューラルネットアルゴリズム性能変化を観測するために同一の構造がニューラルネットアルゴリズムで、温度Ｆｅａｔｕｒを含む／含まずに２個の同一の人工知能ディープラーニングアルゴリズムモデルを具現して［表１］および図７に示した。
【０１００】
性能比較は総９Ｌｏｔの臨床テストを通じて総９３０個のサンプルを通じて確認した。
【０１０１】
図７に示されているように、温度Ｆｅａｔｕｒｅを含む場合や含まない場合、基準値であるＹＳＩ値に対する差をみると、±５％である場合の正確度が平均６６．６％、６７．１％、±１０％である場合の正確度が平均９３．２％、９３．９％、±１５％である場合の正確度が平均９８．７％、９８．８％の性能を示して、温度フィーチャを含むか否かによるニューラルネットアルゴリズムの性能差は臨床データで殆どないことを確認することができた。
【０１０２】
【表１】
2021529315.tif 000004
【０１０３】
（実施例２）急激な環境変化によるメーター温度差に対するアルゴリズム結果の変化比較
アルゴリズムに適用される温度Ｆｅａｔｕｒｅの値は、メーターに付着された温度センサーを通じて得られる値であって、急激な周囲環境の変化が生じる時に即時正確な温度値を測定し難く、温度平衡がなされるための時間が必要である。
【０１０４】
したがって、このような問題により使用者が急激な環境変化にある時、例えば、寒い冬、外部から暖かい室内に入った時、メーターを使用するためには温度平衡のための一定時間を待たなければならず、そうしなければ不正確な血糖値を得ることがあった。
【０１０５】
これに対して実験例１を参照して、温度を含まない本発明の一実施例による人工知能ディープラーニング学習を利用した生体測定物濃度測定方法により、このような問題点を解決可能であることを説明する。
【０１０６】
このために、２３度で温度平衡後、２３度環境で実験する対照群と、４３度から２３度環境に温度平衡させる過程と、０度から２３度環境に温度平衡時させる過程でメーター測定温度の誤差による実験群１、２のアルゴリズム値差を既存の多重回帰分析方法による場合と、温度を含まないニューラルネットアルゴリズムのそれぞれに対して比較して［表２］および図８および図９に示した。
【０１０７】
【表２】
2021529315.tif 000005
【０１０８】
実験の結果、４３度環境にあった実験群１のメーターは、約２４分が経つまで実験環境である２３度と測定温度値で差を示すようになる。このような測定温度値差により多重線形回帰アルゴリズムで対照群と最大１３．６％の差を示し、約９分程度の温度平衡のための待機時間が必要であった。反面、人工神経網アルゴリズムは、温度値差に関係なしに対照群と０〜２％の差を維持し、待機時間なしに即時使用可能であった。同様に、５．８度環境にあった実験群２のメーターは、約２４分が経つまで実験環境である２３度と測定温度値で差を示すようになる。このような測定温度値差により多重線形回帰アルゴリズムで対照群と最大１４．８％の差を示し、約１５分程度の温度平衡のための待機時間が必要であった。
【０１０９】
反面、人工神経網アルゴリズムは、温度値差に関係なしに対照群と０〜２％の差を維持し、待機時間なしに即時使用可能であった。
【０１１０】
当該実験結果を通じて急激な環境変化に対して温度を含まないニューラルネットアルゴリズムがより正確な結果を得ることができ、使用者も特別な待機時間なしに製品使用が可能であることを確認することができた。
【産業上の利用可能性】
【０１１１】
本発明は、このような問題点を解消するために案出されたものであって、本発明の一実施例による人工知能ディープラーニング学習を活用した測定物濃度測定方法は、既存の測定技術は、効果的な特徴（Ｆｅａｔｕｒｅｓ）を抽出するために関連分野の専門家が長時間にわたって直接特徴を抽出する数式や方法を考案して適用するものであったとすれば、情報（Ｌａｂｅｌｓ）があるサンプルから測定時間の間に得た入力信号をデータベース化して人工神経網技法を活用したディープラーニング学習を通じて人間が予め知っていない有用な特徴などを探し出し、このように学習で得られたアルゴリズムを適用して結果値を推定できる本発明の目的は、既存の測定技術は、サンプルが入っているセンサーに入る入力波形の形態が変わればその度に特徴を探すのに多くの時間と努力を要するという短所がある特定値を推定する回帰モデルにもなり得るが、集団を分類する分類器にもなり得るフィーチャを毎度別途のフィーチャを探す必要なしに求めることができる。
【図１】
2021529315.tif 000007
【図２】
2021529315.tif 000008
【図３】
2021529315.tif 000009
【図４】
2021529315.tif 000010
【図５】
2021529315.tif 000011
【図６】
2021529315.tif 000012
【図７】
2021529315.tif 000013
【図８】
2021529315.tif 000014
【図９】
2021529315.tif 000015
【国際調査報告】
2021529315.tif 000016
2021529315.tif 000017
2021529315.tif 000018
2021529315.tif 000019